(57)【要約】【課題】報知音を出す報知手段を備えたジャー炊飯器において、炊飯終了後から一定時間ごとにご飯のほぐしお知らせ報知音を鳴らすことにより、ご飯のほぐし忘れを防ぎ、またご飯をほぐすことを使用者に推奨、啓発してよりおいしいご飯を食べることができるジャー炊飯器を提供する。【解決手段】制御手段１５により加熱手段１２を駆動する駆動手段１３を制御して炊飯や保温の動作を制御する。炊飯終了お知らせ手段１７により炊飯終了直後に報知手段１８から炊飯終了報知音を鳴動させ、ほぐしお知らせ手段１９により少なくとも炊飯終了後から一定時間経過後に報知手段１８から報知音を鳴動させて使用者にご飯をほぐすことを知らせる。炊飯終了後に蓋１１の開閉を検知する蓋開閉検知手段２０が蓋開閉を検知するとすでにほぐしたものと判断して、鳴動停止手段２１によりほぐしお知らせ音の鳴動を取り消すよう構成する。【選択図】  図１
2004344224.tif 000002
【特許請求の範囲】
【請求項１】
炊飯器本体内部に設置し調理物を入れる内鍋と、前記内鍋の上部に開閉自在に設けた蓋と、前記内鍋を加熱する加熱手段と、前記加熱手段を駆動する駆動手段と、前記内鍋内の調理物の温度を検知する温度検知手段と、時間を計時する計時手段と、前記温度検知手段からの入力や前記計時手段により前記駆動手段を制御して炊飯や保温の動作を制御する制御手段と、報知音を出す報知手段と、炊飯終了直後に前記報知手段より炊飯終了報知音を鳴動させる炊飯終了お知らせ手段と、前記蓋の開閉を検知する蓋開閉検知手段と、少なくとも炊飯終了後から一定時間経過後に前記報知手段より報知音を鳴動させて使用者にご飯をほぐすことを知らせるほぐしお知らせ手段と、炊飯終了後に前記蓋開閉検知手段が蓋開閉を検知するとすでにほぐしたものと判断して前記ほぐしお知らせ音の鳴動を取り消す鳴動停止手段とを備えたジャー炊飯器。
【請求項２】
蓋開の時間が所定時間より短い場合はご飯をほぐしていないと判断して鳴動停止手段の鳴動停止動作を働かないようにする鳴動停止取消手段を付加した請求項１記載のジャー炊飯器。
【発明の詳細な説明】
【０００１】
【発明の属する技術分野】
本発明は、報知音を出す報知手段を備えたジャー炊飯器に関するものである。
【０００２】
【従来の技術】
最近は、おいしく調理をすることができ、かつ使いやすいジャー炊飯器が求められてきている。
【０００３】
従来、この種のジャー炊飯器は図６に示すように構成していた。以下、その構成について説明する。
【０００４】
図６に示すように、内鍋１はジャー炊飯器本体内部に設置し、調理物を入れるもので、この内鍋１の上部に蓋２を開閉自在に設け、調理中は閉じている。加熱手段３は駆動手段４によって駆動され、内鍋１内の調理物を加熱する。温度検知手段５は内鍋１内の調理物の温度を検知するもので、その出力を制御手段６に入力し、制御手段６は温度検知手段５で検知した調理物の温度や計時手段７で計時している時間を基に、駆動手段４を制御し炊飯動作を制御している。炊飯が終了すると、炊飯終了お知らせ手段８が報知手段９に炊飯終了を報知させる（例えば、特許文献１参照）。
【０００５】
【特許文献１】
特開平５−８０２０３号公報（第１頁、第１図）
【０００６】
【発明が解決しようとする課題】
一般に、炊飯終了後は一度、蓋２を開けて、ご飯をしゃもじでほぐすことによりご飯内の余分な水分をとばし、炊きむらを均一化することによって、よりご飯をおいしくすることができる。
【０００７】
しかしながら上記のような構成では、炊飯終了時に席を外していた場合などにご飯をほぐすことを忘れてしまう。また、使用者によってはご飯をほぐすことをしない、知らないがためによりおいしいご飯を食べる機会を逸しているといった問題があった。
【０００８】
本発明は上記従来の課題を解決するもので、炊飯終了後から一定時間ごとにご飯のほぐしお知らせ報知音を鳴らすことにより、ご飯のほぐし忘れを防ぎ、またご飯をほぐすことを使用者に推奨、啓発してよりおいしいご飯を食べることができるジャー炊飯器を提供することを目的としている。
【０００９】
【課題を解決するための手段】
本発明は上記目的を達成するために、炊飯器本体内部に調理物を入れる内鍋を設置し、内鍋の上部に蓋を開閉自在に設け、加熱手段により内鍋を加熱し、内鍋内の調理物の温度を温度検知手段により検知し、制御手段により温度検知手段からの入力や時間を計時する計時手段により加熱手段を駆動する駆動手段を制御して炊飯や保温の動作を制御し、炊飯終了お知らせ手段により炊飯終了直後に報知手段より炊飯終了報知音を鳴動させ、ほぐしお知らせ手段により少なくとも炊飯終了後から一定時間経過後に報知手段より報知音を鳴動させて使用者にご飯をほぐすことを知らせ、炊飯終了後に蓋の開閉を検知する蓋開閉検知手段が蓋開閉を検知するとすでにほぐしたものと判断して、鳴動停止手段によりほぐしお知らせ音の鳴動を取り消すよう構成したものである。
【００１０】
これにより、炊飯終了後から一定時間ごとにご飯のほぐしお知らせ報知音を鳴らすことにより、ご飯のほぐし忘れを防ぐことができ、またご飯をほぐすことを使用者に推奨、啓発できてよりおいしいご飯を食べることができるジャー炊飯器を提供することができる。
【００１１】
【発明の実施の形態】
本発明の請求項１に記載の発明は、炊飯器本体内部に設置し調理物を入れる内鍋と、前記内鍋の上部に開閉自在に設けた蓋と、前記内鍋を加熱する加熱手段と、前記加熱手段を駆動する駆動手段と、前記内鍋内の調理物の温度を検知する温度検知手段と、時間を計時する計時手段と、前記温度検知手段からの入力や前記計時手段により前記駆動手段を制御して炊飯や保温の動作を制御する制御手段と、報知音を出す報知手段と、炊飯終了直後に前記報知手段より炊飯終了報知音を鳴動させる炊飯終了お知らせ手段と、前記蓋の開閉を検知する蓋開閉検知手段と、少なくとも炊飯終了後から一定時間経過後に前記報知手段より報知音を鳴動させて使用者にご飯をほぐすことを知らせるほぐしお知らせ手段と、炊飯終了後に前記蓋開閉検知手段が蓋開閉を検知するとすでにほぐしたものと判断して前記ほぐしお知らせ音の鳴動を取り消す鳴動停止手段とを備えたものであり、炊飯終了後から一定時間ごとに報知音を鳴らすことによりご飯のほぐし忘れを防ぐことができ、また、ご飯をほぐすことを知らない人にもご飯をほぐすことをお知らせすることにより、よりおいしいご飯を食べることができる。また、ご飯をほぐすために蓋を開けるとそれを検知することによりすでにご飯はほぐされていると判断して、不要なほぐしお知らせの報知音を鳴らすことを止めて、より気持ちよくジャー炊飯器を使用することができる。
【００１２】
請求項２に記載の発明は、上記請求項１に記載の発明において、蓋開の時間が所定時間より短い場合はご飯をほぐしていないと判断して鳴動停止手段の鳴動停止動作を働かないようにする鳴動停止取消手段を付加したものであり、ご飯をほぐすにはあまりに短い時間の蓋開の場合は、ご飯をほぐすために蓋を開けたのではないと判断して、ご飯のほぐしの誤検知を防ぐことができ、より正確に動作する炊飯器を得ることができる。
【００１３】
【実施例】
以下、本発明の実施例について、図面を参照しながら説明する。
【００１４】
（実施例１）
図１に示すように、内鍋１０はジャー炊飯器本体内部に設置し、調理物を入れるもので、この内鍋１０の上部に蓋１１を開閉自在に設け、調理中は閉じている。加熱手段１２は駆動手段１３によって駆動され、内鍋１０内の調理物を加熱する。温度検知手段１４は内鍋１０内の調理物の温度を検知するもので、その出力を制御手段１５に入力し、制御手段１５は温度検知手段１４で検知した調理物の温度や計時手段１６で計時している時間を基に、駆動手段１３を制御し炊飯動作を制御している。炊飯が終了すると、炊飯終了お知らせ手段１８が報知手段１８に炊飯終了を報知させる。
【００１５】
炊飯終了報知が終了後、計時手段１６で計時して一定時間Ｔ分後に、ほぐしお知らせ手段１９が報知手段１８にほぐしお知らせ報知を行わせる。蓋検知手段２０は、蓋１１の開閉を検知するもので、この蓋開閉検知手段２０が蓋開を検知すると、すでに蓋１１を開けてご飯をほぐしたものと判断し、鳴動停止手段２１がほぐしお知らせ報知を停止する。
【００１６】
このように炊飯終了時に席を外していた場合やほぐし忘れを防止し、また、ご飯をほぐすことを知らない使用者などの場合でも、ご飯をほぐさなければならないといった啓発につながり、ご飯をほぐし、よりおいしいご飯を食べることができる。
【００１７】
具体回路図は、図２に示すように構成しており、加熱コイル２２は加熱手段１２を構成し、内鍋１０を誘導加熱（以下、ＩＨとする）する。商用電源２３から交流電源を供給し、ダイオードブリッジ２４によって整流し、平滑コンデンサ２５、共振コンデンサ２６、スイッチング素子２７、加熱コイル２２で構成したインバータ回路により、ＩＨのための高周波電力を発生させる。インバータ回路は、駆動手段１３を構成し、ドライブＩＣ２８とＩＨ制御用ＩＣ２９によって駆動している。
【００１８】
マイコン（マイクロコンピュータ）３０は、水晶発振子３２の発振によって、マイコン３０内のタイマをカウントして計時を行っている。サーミスタ３１は温度検知手段１４を構成するもので、内鍋１０の温度を検知してその出力をマイコン３０に入力している。そして、マイコン３０に入力された温度や計時している時間を基に、ＩＨ制御用ＩＣ２９を制御することにより、内鍋１０の加熱を制御して、炊飯を行っている。
【００１９】
蓋開閉検知スイッチ３３は、蓋開閉検知手段２０を構成するもので、蓋１１が開くとスイッチがオフし、蓋１１が閉じるとスイッチがオンすることにより、蓋開閉の検知を行う。ブザー３４は報知手段１８を構成するもので、他励式で、マイコン３０より発振信号を入力して鳴動させることによって報知するようにしている。
【００２０】
制御手段１５、炊飯終了お知らせ手段１７、ほぐしお知らせ手段１９、鳴動停止手段２１の動作はマイコン３０によってプログラムによって行っている。
【００２１】
上記構成において図３を参照しながらほぐし報知音を鳴動するときの動作を説明する。
【００２２】
ステップ３５で炊飯終了かどうかを判断し、まだ炊飯終了してない場合はこのプログラムの動作を終了し、すでに炊飯終了している場合は、ステップ３６へ進む。ステップ３６では炊飯終了後か、または前回のほぐしお知らせ音が鳴ってからＴ分たったかどうかを判断し、Ｔ分たっていない場合はこのプログラムの動作を終了し、Ｔ分たっている場合はステップ３７へ進む。
【００２３】
ステップ３７では、蓋開を検知したかどうかを判断し、すでに蓋開を行っている場合はこのプログラムの動作を終了し、まだ蓋１１を開けていない場合はステップ３８へ進む。そして、ステップ３８にてブザー３４にてほぐしお知らせ音を鳴動させる。
【００２４】
このように本実施例によれば、少なくとも炊飯終了後から一定時間経過後に、ほぐしお知らせ手段により報知手段１８より報知音を鳴動させて使用者にご飯をほぐすことを知らせ、炊飯終了後に蓋開閉検知手段２０が蓋開閉を検知するとすでにほぐしたものと判断してほぐしお知らせ音の鳴動を取り消すようにしたので、炊飯終了後から一定時間ごとに報知音を鳴らすことによりご飯のほぐし忘れを防ぐことができ、また、ご飯をほぐすことを知らない人にもご飯をほぐすことをお知らせすることにより、よりおいしいご飯を食べることができる。また、ご飯をほぐすために蓋１１を開けるとそれを検知することによりすでにご飯はほぐされていると判断して、不要なほぐしお知らせの報知音を鳴らすことを止めて、より気持ちよくジャー炊飯器を使用することができる。
【００２５】
なお、本実施例では、ほぐしの完了を蓋開の検知で説明したが、蓋閉を検知しても同様の効果が得られることはいうまでもない。
【００２６】
また、本実施例では、炊飯終了後一定時間Ｔ分後に報知手段１８でほぐしお知らせ報知を行う構成で説明したが、ほぐしがおこなわれるまで繰り返してもよい。
【００２７】
（実施例２）
図４に示すように、鳴動停止取消手段３９は、蓋１１を開けた時間ｔが所定時間ｔ０より短い場合は、ご飯をほぐしていないと判断し、鳴動停止手段２１の動作を取り消し、ほぐしお知らせ音を鳴動させるものである。他の構成は上記実施励１と同じであり、同一符号を付して説明を省略する。
【００２８】
上記構成において図５を参照しながらほぐし報知音を鳴動するときの動作を説明する。なお、ステップ３５からステップ３８までの動作は上記実施励１の動作と同じであるので説明を省略する。
【００２９】
ステップ３７で蓋開を検知するとステップ４０へ進み、ステップ４０では、蓋１１を開けた時間ｔが所定時間ｔ０より長いどうかを判断し、時間ｔが所定時間ｔ０よりも長い場合は、すでにこの時間ｔの間にご飯をほぐしたものと判断してこのプログラム動作を終了させる。
【００３０】
時間ｔが所定時間ｔ０よりも長くない場合は、この時間ｔの間にご飯をほぐしていないものと判断して、ステップ３８へ進みほぐしお知らせ音を鳴動させる。
【００３１】
このように本実施例によれば、蓋開の時間が所定時間より短い場合はご飯をほぐしていないと判断して、鳴動停止取消手段３９により鳴動停止手段２１の鳴動停止動作を働かないようにするので、ご飯をほぐすにはあまりに短い時間の蓋開の場合は、ご飯をほぐすために蓋１１を開けたのではないと判断して、ご飯のほぐしの誤検知を防ぐことができ、より正確に動作する炊飯器を得ることができる。
【００３２】
【発明の効果】
以上のように請求項１に記載の発明によれば、炊飯終了お知らせ手段により炊飯終了直後に報知手段より炊飯終了報知音を鳴動させ、ほぐしお知らせ手段により少なくとも炊飯終了後から一定時間経過後に報知手段より報知音を鳴動させて使用者にご飯をほぐすことを知らせ、炊飯終了後に蓋の開閉を検知する蓋開閉検知手段が蓋開閉を検知するとすでにほぐしたものと判断して、鳴動停止手段によりほぐしお知らせ音の鳴動を取り消すよう構成したから、炊飯終了後から一定時間ごとにご飯のほぐしお知らせ報知音を鳴らすことにより、ご飯のほぐし忘れを防ぐことができ、また、ご飯をほぐすことを知らない人にもご飯をほぐすことを知らせることにより、よりおいしいご飯を食べることができる。また、ご飯をほぐすために蓋を開けると、それを検知することによりすでにご飯はほぐされていると判断して不要なほぐしお知らせの報知音を鳴らすことを止めて、より気持ちよくジャー炊飯器を使用することができる。
【００３３】
また、請求項２に記載の発明によれば、蓋開の時間が所定時間より短い場合はご飯をほぐしていないと判断し、鳴動停止取消手段により鳴動停止手段の鳴動停止動作を働かないようにしたから、ご飯をほぐすにはあまりに短い時間の蓋開の場合は、ご飯をほぐすために蓋を開けたのではないと判断して、ご飯のほぐしの誤検知を防ぐことができ、より正確に動作する炊飯器を得ることができる。
【図面の簡単な説明】
【図１】本発明の第１の実施例のジャー炊飯器のブロック図
【図２】同ジャー炊飯器の回路図
【図３】同ジャー炊飯器の要部動作フローチャート
【図４】本発明の第２の実施例のジャー炊飯器のブロック図
【図５】同ジャー炊飯器の要部動作フローチャート
【図６】従来のジャー炊飯器のブロック図
【符号の説明】
１０  内鍋
１１  蓋
１２  加熱手段
１３  駆動手段
１４  温度検知手段
１５  制御手段
１６  計時手段
１７  炊飯終了お知らせ手段
１８  報知手段
１９  ほぐしお知らせ手段
２０  蓋開閉検知手段
２１  鳴動停止手段
【図１】
2004344224.tif 000003
【図２】
2004344224.tif 000004
【図３】
2004344224.tif 000005
【図４】
2004344224.tif 000006
【図５】
2004344224.tif 000007
【図６】
2004344224.tif 000008